(57)【要約】      （修正有）【課題】眼鏡に取り付けることができ、光の照射位置や照射方向等を容易に調整することができる眼鏡着脱式ライトを提供する。【解決手段】本体部１０は、光を照射する光源装置３と、使用者の眼鏡におけるブリッジ又はブリッジの周辺部分を挟持するクリップ部５と、クリップ部５と光源装置３とを連結する連結部７とを備える。連結部７は、外部から一定量以上の押力を受けると、光源装置３による光の照射方向に垂直となる回転軸を中心に光源装置３を回動する回動機構１２を有する。【選択図】図１
0003171527.tif 000002
【実用新案登録請求の範囲】
【請求項１】
光を照射する光源装置と、
使用者の眼鏡におけるブリッジ又はブリッジの周辺部分を挟持するクリップ部と、
前記クリップ部と前記光源装置とを連結する連結部と、
を備え、
前記連結部は、外部から一定量以上の押力を受けると、前記光源装置による光の照射方向に垂直となる回転軸を中心に、前記光源装置を回動する回動機構を有することを特徴とする眼鏡着脱式ライト。
【請求項２】
請求項１に記載の眼鏡着脱式ライトにおいて、
前記回動機構は、
眼鏡のブリッジに平行となる前記回転軸である第１回転軸を中心に前記光源装置を該眼鏡の上下方向に回動する２つの上下回動機構と、
眼鏡のブリッジに垂直となる前記回転軸である第２回転軸を中心に、前記２つの上下回動手段のうちの一方に対して他方の上下回動機構を該眼鏡の左右方向に回動する１つの左右回動機構と、
からなることを特徴とする眼鏡着脱式ライト。
【請求項３】
請求項１または請求項２に記載の眼鏡着脱式ライトにおいて、
前記２つの上下回動機構は、
前記クリップ部に固定されたクリップ側固定棒の中心軸を前記第１回転軸として回動するクリップ側回動部と、
前記光源装置に固定された光源側固定棒の中心軸を前記第１回転軸として回動する光源側回動部と、
を有し、
クリップ側回動部および光源側回動部は、互いが連接する連接面に対して垂直に固定されて前記第２回転軸を中心軸とする連接棒とともに、前記左右回動機構を構成することを特徴とする眼鏡着脱式ライト。
【請求項４】
請求項３に記載の眼鏡着脱式ライトにおいて、
前記光源装置に電力を供給するためのバッテリと、
前記光源装置に接続され、前記バッテリに取り付けられるバッテリ用ケーブルと、
前記クリップ側回動部に固定された固定アームと一体に形成され、前記バッテリ用ケーブルを保持するケーブル保持部材と、
を備えることを特徴とする眼鏡着脱式ライト。
【請求項５】
請求項３または請求項４に記載の眼鏡着脱式ライトにおいて、
前記光源装置に電力を供給するためのバッテリと、
前記光源装置に接続され、前記バッテリに取り付けられるバッテリ用ケーブルと、
を備え、
前記クリップ部は、
前記クリップ側回動部に固定された固定アームと、
当該眼鏡着脱式ライトの使用者の指で押下される形状を有する鍔部に連設され、該鍔部の押下に連動して固定アームから離間する可動アームと、
前記固定アームと前記可動アームとによって眼鏡におけるブリッジ又はブリッジの周辺部分を挟持するように、前記可動アームを前記固定アーム側に付勢するバネ部と、
を有し、
前記バネ部は、一本のワイヤーの両端が前記顎部に接続されるとともに、該ワイヤーの左右部が前記可動アームの支持部に巻かれてなり、且つ、前記バッテリ用ケーブルを保持するために、該ワイヤーの中央部が前記固定アームの支持部側に付勢される形状を有していることを特徴とする眼鏡着脱式ライト。
【請求項６】
請求項１ないし請求項５のいずれか１項に記載の眼鏡着脱式ライトにおいて、
前記光源装置は、
照射光を生成する光源部と、
前記光源部にて生成した照射光を予め設定された焦点距離にて集光させる光学的作用を有するレンズ部と、
外部から受けた操作量に応じて、前記光源部に対する前記レンズ部の位置を移動するレンズ移動機構と、
を有し、
前記レンズ部は、前記レンズ移動機構を用いて焦点距離を調整することにより、当該眼鏡着脱式ライトの照射対象への到達前に前記照射光を集光する屈折率を、前記光学的作用として有することを特徴とする眼鏡着脱式ライト。
【考案の詳細な説明】
【技術分野】
【０００１】
本考案は、使用者の眼鏡に取り付けることが可能な眼鏡着脱式ライトに関する。
【背景技術】
【０００２】
従来、例えば医療の場において、患者の瞳孔や喉といった対象部位を診察する際に、医師によって用いられるペンライトが知られている。このようなペンライトは、対象部位の状態を目視しながら、施術する等、何らかの他の作業が必要とされる場合、その作業者が手で持つ必要があることから、少なくとも片方の手が他の作業に使えなくなるので、不便な点もあった。
【０００３】
このため、光源装置を、ヘッドリングに取り付けて使用者の額に装着するような構成Ａが考えられたり、眼鏡に取り付けて使用者の目の付近に装着するような構成Ｂが考えられたりしてきた（例えば、特許文献１参照）。このような構成によれば、両手が自由に使えることになり、使用者（作業者，例えば医師）の利便性が増すものと期待される。
【先行技術文献】
【特許文献】
【０００４】
【特許文献１】実用新案登録第３１６５６６３号公報
【考案の概要】
【考案が解決しようとする課題】
【０００５】
ところで、上記構成Ａと構成Ｂとを比較すると、光源装置から照射される光の光軸が使用者の視線に比較的近い点で、構成Ｂの方が構成Ａよりも、対象部位に効率よく光を照射できることになり、使用者の視認性が増すものと考えられる。
【０００６】
しかし、特許文献１記載の構成Ｂの方の光源装置は、ビス留めによる固定式の装置であるため、眼鏡のブリッジにネジ孔を設ける必要があったり、使用中に光の照射位置や照射方向等を調整することが困難であったりする問題があった。
【０００７】
本考案は、上記問題点を解決するために、使用者にとって利便性の高い眼鏡着脱式ライトを提供することを目的とする。
【課題を解決するための手段】
【０００８】
上記目的を達成するためになされた考案である請求項１に記載の眼鏡着脱式ライトは、光を照射する光源装置と、使用者の眼鏡におけるブリッジ又はブリッジの周辺部分を挟持するクリップ部と、クリップ部と光源装置とを連結する連結部とを備える。さらに、連結部について、外部から一定量以上の押力を受けると、光源装置による光の照射方向に垂直となる回転軸を中心に光源装置を回動する回動機構を有する構成とした。
【０００９】
この構成によれば、使用者は、例えば普段使用している眼鏡に細工を施すことなく、クリップ部によって光源装置を眼鏡に取り付けることができ、さらに、回動機構を操作することで光源装置を回動させ、光の照射位置や照射方向等を容易に調整することができる。よって、本考案によれば、使用者にとっての利便性を向上できる。
【００１０】
また、請求項１に記載の眼鏡着脱式ライトは、請求項２に記載のように、回動機構について、眼鏡のブリッジに平行となる上記回転軸である第１回転軸を中心に光源装置を眼鏡の上下方向に回動する２つの上下回動機構と、眼鏡のブリッジに垂直となる上記回転軸である第２回転軸を中心に、２つの上下回動手段のうちの一方に対して他方の上下回動機構を眼鏡の左右方向に回動する１つの左右回動機構とからなる構成としてもよい。
【００１１】
この構成によれば、使用者は、３つの回動機構を操作することで光源装置を上下左右方向に回動させることができる。さらに、この構成では、上下回動機構が２つ設けられ、左右回動機構が２つの上下回動機構の相対的な位置を変化させるように設けられているため、光源装置を立体的に動かすことが可能となり、光の照射位置や照射方向等を調整する際の使用性を向上できる。
【００１２】
また、請求項１又は２に記載の眼鏡着脱式ライトは、請求項３に記載のように、２つの上下回動機構について、クリップ部に固定されたクリップ側固定棒の中心軸を第１回転軸として回動するクリップ側回動部と、光源装置に固定された光源側固定軸棒の中心軸を第１回転軸として回動する光源側回動部とを有する構成としてもよい。この場合、クリップ側回動部および光源側回動部は、互いが連接する連接面に対して垂直に固定されて第２回転軸に相当する中心軸を有する連接棒とともに、左右回動機構を構成するとよい。
【００１３】
この構成では、クリップ側回動部および光源側回動部が、２つの上下回動機構の構成要素と、左右回動機構の構成要素とを兼ねるため、構成要素を分ける場合と比べて部品点数を少なくすることができ、製造上のメリットやコストメリットを享受できる。
【００１４】
また、請求項３に記載の眼鏡着脱式ライトは、請求項４に記載のように、光源装置に電力を供給するためのバッテリと、光源装置に接続されてバッテリに取り付けられるバッテリ用ケーブルと、固定アームと一体に形成されてバッテリ用ケーブルを保持するケーブル保持部材とを備える構成としてもよい。
【００１５】
この構成では、保持部材によってバッテリ用ケーブルを保持することで、バッテリ用ケーブルが使用者の視界や作業を妨げることを防止できる。また、この構成によれば、保持部材が固定アームと一体に形成されているため、別体に形成する場合と比べて部品点数を少なくすることができ、製造上のメリットやコストメリットをより高めることができる。
【００１６】
次に、請求項３又は４に記載の眼鏡着脱式ライトは、請求項５に記載のように、クリップ部について、クリップ側回動部に固定された固定アームと、使用者の指で押下される形状の鍔部に連設されて鍔部の押下に連動して固定アームから離間する可動アームと、固定アームと可動アームとによって眼鏡におけるブリッジ又はブリッジの周辺部分を挟持するように可動アームを固定アーム側に付勢するバネ部とを有する構成としてもよい。この場合、バネ部は、一本のワイヤーの両端が顎部に接続されるとともに、そのワイヤーの左右部が可動アームの支持部に巻かれてなり、且つ、バッテリ用ケーブルを保持するために、そのワイヤーの中央部が固定アームの支持部側に付勢する形状であるとよい。
【００１７】
この構成では、バネ部を構成する一本のワイヤーが、光源装置を眼鏡に装着する役割と、バッテリ用ケーブルを眼鏡付近に保持する役割とを兼ねるため、役割毎に構成要素を設ける場合と比べて部品点数を少なくすることができ、製造上のメリットやコストメリットをさらに高めることができる。
【００１８】
なお、請求項１〜５のいずれかに記載の眼鏡着脱式ライトは、光源装置について、照射光を生成する光源部と、光源部にて生成した照射光を予め設定された焦点距離にて集光させる光学的作用を有するレンズ部と、外部から受けた操作量に応じて、光源部に対するレンズ部の位置を移動するレンズ移動機構とを有する構成としてもよい。この場合、レンズ部は、レンズ移動機構を用いて焦点距離を調整することにより、照射対象への到達前に照射光を集光する屈折率を光学的作用として有することが望ましい。
【００１９】
この構成によれば、使用者は、レンズ移動機構の操作によって、照射光が集光するポイント（以下「光のクロスポイント」という）を、例えば患者の内腔（耳腔や鼻腔、口腔など）の手前にすることが可能となる。これにより、例えば、光のクロスポイントが内腔の中になる場合と比べて、光のクロスポイント付近に生じる影が内腔の中でできにくくなり、ひいては、内腔等のあらゆる孔の奥側をより明瞭に照らすことができる。
【図面の簡単な説明】
【００２０】
【図１】第１実施形態における眼鏡着脱式ライトの使用者への装着例を示す説明図、及び、その主要な構成を示す斜視図である。
【図２】眼鏡着脱式ライトを構成する各部を説明するための斜視図である。
【図３】第２及び第３実施形態の眼鏡着脱式ライトの主要な構成を表す斜視図である。
【図４】第４実施形態の眼鏡着脱式ライト（光源装置）の構成を示す断面図である。
【考案を実施するための形態】
【００２１】
以下に、本考案が適用された実施形態の眼鏡着脱式ライトとしての医療用ＬＥＤライトについて説明する。なお、医療用ＬＥＤライトは、医師や看護士等の使用者によって、患者の耳腔や鼻腔、口腔、瞳孔、喉といった内腔を目視しながら、施術する等、何らかの作業を行うために用いられるＬＥＤライトである。
【００２２】
［第１実施形態］
図１（ａ）に示すように、医療用ＬＥＤライト１は、眼鏡に取り付けることで使用者の目の付近に装着される本体部１０と、使用者の衣服の一部（本実施形態では胸ポケット）に収容されるバッテリ２０と、本体部１０とバッテリ２０とに接続されるバッテリ用ケーブル３０とを備える。
【００２３】
なお、本体部１０には、使用者が医療用ＬＥＤライト１を装着すると、使用者の視線側が光の照射方向となる光源装置３が設けられている。光源装置３としては、バッテリ２０から供給される小電力によって発光する周知のＬＥＤが用いられている。
【００２４】
本体部１０は、図１（ｂ）に示すように、ＬＥＤ光を照射する光源装置３と、使用者の眼鏡におけるブリッジ又はブリッジの周辺部分を挟持するクリップ部５と、クリップ部５と光源装置３とを連結する連結部７とを備える。
【００２５】
連結部７は、光源装置３を眼鏡の上下方向に回動する上下回動機構１２と、バッテリ用ケーブル３０を保持する第１保持部材１６とを備えて構成される。上下回動機構１２は、光源装置３に固定された光源側固定棒１２ａと、第１保持部材１６と一体に形成されて光源側固定棒１２ａの中心軸を回動する光源側回動部１２ｂとを有する。第１保持部材１６は、断面コの字型に形成され、クリップ部５とともにバッテリ用ケーブル３０を挟持するように構成されている。
【００２６】
クリップ部５は、図２（ａ）に示すように、本実施形態では左右の各眼鏡レンズにおけるブリッジの周辺部分を挟持するために２種類のアームを有する。具体的には、クリップ部５は、光源側回動部１２ｂ（図１（ｂ）参照）と一体に形成されてレンズ前面に当接する一対の固定アーム２２と、固定アーム２２に対向配置されてレンズ後面に当接する一対の可動アーム２４とを有して構成される。なお、固定アーム２２および可動アーム２４の各々における眼鏡レンズとの当接部分には、眼鏡レンズに傷をつけない程度の弾力性を有する樹脂部材が外挿されている。
【００２７】
また、クリップ部５は、使用者の指で押下される形状の鍔部２６と、可動アーム２４を固定アーム２２側に付勢するバネ部２８とを有する。バネ部２８は、一本のワイヤーの両端が鍔部２６に接続されるとともに、そのワイヤーにおける両側部分が、一対の可動アーム２４と一体に構成された支持部（図示せず）に巻きつかれてなる。そして、クリップ部５では、可動アーム２４がバネ部２８を介して鍔部２６に連設されて、鍔部２６の押下に連動して固定アーム２２から離間するようになっている。
【００２８】
このように、クリップ部５では、使用者が鍔部２６の押下によって可動アーム２４を固定アーム２２から離間させ、各眼鏡レンズにおけるブリッジの周辺部分にて、固定アーム２２をレンズ前面に当接させた状態で鍔部２６への加力を止めると、可動アーム２４がレンズ後面に当接し、可動アーム２４の付勢力によって光源装置３が眼鏡に固定される。
【００２９】
このとき、連結部７における光源側固定棒１２ａ（図１（ｂ）参照）が眼鏡のブリッジに平行となるように配置されるので、上下回動機構１２（図１（ｂ）参照）では、光源側回動部１２ｂ（図１（ｂ）参照）が、光源側固定棒１２ａと眼鏡のブリッジとの平行軸を中心に回動することにより、光源装置３が光源側回動部１２ｂに連動し、ＬＥＤ光の照射方向が使用者の視線に対する上下方向に調整可能となる。なお、上下回動機構１２（図１（ｂ）参照）では、ＬＥＤ光の照射方向の調整範囲に対応して、外部から一定量以上の押力によって光源装置３の移動可能な範囲が予め決められている。また、このような光源装置３の動きを阻害しないように、バッテリ用ケーブル３０における光源装置３との接続部から第１保持部材１６（図１（ｂ）参照）の挟持部分まで充分な長さが確保されている。
【００３０】
バッテリ用ケーブル３０には、図２（ｂ）に示すように、眼鏡の柄の部分にバッテリ用ケーブル３０を保持するためのＯリング３２が外嵌されている。Ｏリング３２は、バッテリ用ケーブル３０が使用者の視界を遮ったり、使用者の肌に触れたりしないように設けられたものであり、使用者のコメカミに触れても痛くないように樹脂製の素材によって形成されている。なお、バッテリ用ケーブル３０には、Ｏリング３２の他に、使用者の衣服の襟等の部分にバッテリ用ケーブル３０を固定するためのクリップ（図示せず）が、バッテリ用ケーブル３０におけるその位置を調節可能な態様で設けられている。
【００３１】
バッテリ２０は、図２（ｃ）に示すように、バッテリ用ケーブル３０のピンジャックが挿入される出力端子３４と、光源装置３への電力供給をオン／オフするスイッチ３６と、使用者の衣服の胸ポケット等の部分にバッテリ２０本体を係止させるための係止クリップ３８とを備える。なお、バッテリ２０は、付属のアダプター（図示せず）を介して家庭用電源に接続され、充電できるように構成されている。
【００３２】
以上のような本実施形態の医療用ＬＥＤライト１によれば、クリップ部５によって、光源装置３を使用者の眼鏡に着脱可能に取り付けることができ、連結部７に設けられた光源側回動部１２ｂによって、使用中にＬＥＤ光の照射方向を容易に調整することができる。
【００３３】
さらに、本実施形態の医療用ＬＥＤライト１によれば、第１保持部材１６が光源側回動部１２ｂおよび固定アーム２２と一体に形成されているため、部品点数を少なくすることができ、製造上のメリットやコストメリットを享受することができる。
【００３４】
［第２実施形態］
次に、図３（ａ）は、第２実施形態の医療用ＬＥＤライト１の構成を表す斜視図である。なお、第２実施形態の医療用ＬＥＤライト１は、第１実施形態の医療用ＬＥＤライト１と比較して、連結部７の構成だけが異なっているため、この相違点を中心に説明する。
【００３５】
図３（ａ）に示すように、連結部７は、光源装置３を眼鏡の上下方向に回動する上下回動機構１２を２つ備え、且つ、光源装置３を眼鏡の左右方向に回動する左右回動機構１４を１つ備える。
【００３６】
２つの上下回動機構１２は、光源装置３に固定された光源側固定棒１２ａの中心軸を回動する光源側回動部１２ｂと、クリップ部５に固定されたクリップ側固定棒１３ａの中心軸を回動するクリップ側回動部１３ｂとを有する。なお、クリップ側固定棒１３ａは、光源側固定棒１２ａとほぼ同じ形状である。また、光源側回動部１２ｂおよびクリップ側回動部１３ｂにおいてそれぞれ回転する部分からの延設部分１２ｃ，１３ｃは、互いにほぼ同じ形状であり、両者を連結するための連結孔（図示せず）が設けられている。
【００３７】
そして、左右回動機構１４は、光源側回動部１２ｂおよびクリップ側回動部１３ｂと、その延設部分１２ｃ，１３ｃが互いに連接する連接面に対して垂直となるように上記の連結孔に遊嵌される連接棒１５とによって構成される。なお、連接棒１５は、２つの上下回動機構１２のうち一方に対して他方の上下回動機構１２を眼鏡の左右方向に回動させるために設けられ、外部から一定量以上の押力が加わらない限りは、このような相対的な位置変化が起こらないように延設部分１２ｃ，１３ｃに圧着されている。
【００３８】
このように、左右回動機構１４は、光源側固定棒１２ａおよびクリップ側固定棒１３ａが平行あるいはハの字となるように、２つの上下回動機構１２の相対的な位置を変化させることで、光源装置３によるＬＥＤ光の照射方向を、眼鏡のブリッジに対して垂直な方向に合わせたり、左右側に移動するように調整したりすることが可能に構成されている。
【００３９】
一方、２つの上下回動機構１２では、クリップ側固定棒１３ａの軸を中心にクリップ側回動部１３ｂを回転させると、クリップ側回動部１３ｂに連結された光源側回動部１２ｂ、及び、光源側回動部１２ｂに光源側固定棒１２ａを介して接続された光源装置３が、眼鏡の上下方向に移動する。また、光源側固定棒１２ａの軸を中心に光源側回動部１２ｂを回動させると、光源側回動部１２ｂに連結されたクリップ側回動部１３ｂが、眼鏡の上下方向に移動することにより、光源装置３に対して相対的な位置を変化させることになる。逆に、光源側固定棒１２ａの軸を中心に光源装置３を眼鏡の上下方向に回転させることも可能になる。これにより、光の照射方向を変えずに光の照射位置を変えることができる。
【００４０】
また、本実施形態では、クリップ側固定棒１３ａの軸を中心にクリップ側回動部１３ｂを眼鏡のブリッジ側（下方）に回転させると、その延設部分１３ｃの下面が、第１保持部材１６の下方に付加された付加部材（図示せず）の前面に当接し、その当接した状態（以下「第１初期状態」という）で、延設部分１３ｃの下面が固定アーム２２（ひいては眼鏡レンズ面）とほぼ平行となるように、クリップ側回動部１３ｂが形成されている。
【００４１】
さらに、本実施形態では、上記の第１初期状態において、光源側固定棒１２ａの軸を中心に光源装置３を眼鏡のブリッジ側（上方）に回転させると、光源装置３の裏面が、クリップ側固定棒１３ａに当接し、その当接した状態（以下「第２初期状態」という）で、光源装置３の裏面が固定アーム２２（ひいては眼鏡レンズ面）とほぼ平行となるように、光源装置３の裏面の面積に対応させて延設部分１２ｃ，１３ｃが形成されている。
【００４２】
これにより、本実施形態では、左右回動機構１４によって、光源装置３を眼鏡の左右方向に回動させた場合であっても、２つの上下回動機構１２によって、第１初期状態を経て第２初期状態となるように光源装置３を回動させるだけで、光源装置３の位置を微調整することなく、光源装置３によるＬＥＤ光の照射方向を眼鏡レンズ面とほぼ垂直となる方向（規定方向）に戻すことができる。
【００４３】
また、本実施形態では、第２初期状態において、光源装置３の裏面の中心位置に対向するように、連接棒１５が延設部分１２ｃ，１３ｃに圧着されている。これにより、左右回動機構１４によって、光源装置３を眼鏡の左右方向に回動させた場合であっても、２つの上下回動機構１２によって、第１初期状態を経て第２初期状態となるように光源装置３を回動させるだけで、光源装置３の位置を微調整することなく、光源装置３によるＬＥＤ光の光軸位置を使用者の視線に対応する規定位置に戻すことができる。
【００４４】
以上のような本実施形態の医療用ＬＥＤライト１によれば、２つの上下回動機構１２および左右回動機構１４によって、光源装置３を立体的に動かすことが可能となり、さらには、ＬＥＤ光の光軸位置を規定位置に戻すことが容易となるため、ＬＥＤ光の照射位置や照射方向等を調整する際の使用性を向上させることができる。
【００４５】
さらに、本実施形態の医療用ＬＥＤライト１によれば、光源側回動部１２ｂおよびクリップ側回動部１３ｂが、２つの上下回動機構１２の構成要素と、左右回動機構１４の構成要素とを兼ねるため、部品点数を少なくすることができ、製造上のメリットやコストメリットを享受することができる。
【００４６】
［第３実施形態］
次に、図３（ｂ）は、第３実施形態の医療用ＬＥＤライト１の構成を表す斜視図である。なお、第２実施形態の医療用ＬＥＤライト１は、第１及び第２実施形態の医療用ＬＥＤライト１と比較して、クリップ部５の構成だけが異なっているため、この相違点を中心に説明する。
【００４７】
図３（ｂ）に示すように、クリップ部５は、前述の固定アーム２２、可動アーム２４、鍔部２６、及び、バネ部２８の他、固定アーム２２の支持部（図示せず）と一体に形成されてバッテリ用ケーブル３０を保持する一対の第２保持部材２９を備える。上記の支持部は、一対の固定アーム２２と一体に形成されて固定アーム２２を支持する部位である。
【００４８】
第２保持部材２９は、固定アーム２２の各々の上方に位置し、バッテリ用ケーブル３０を把持するように断面がＣの字型に形成された開口を有する爪部２９ａを有する。爪部２９ａの開口は、バッテリ用ケーブル３０を被服する樹脂製のチューブ部３０ａの外径よりも若干小さく形成されている。つまり、第２保持部材２９は、爪部２９ａの開口にチューブ部３０ａが挿入されることで、バッテリ用ケーブル３０を保持するように構成される。
【００４９】
また、バネ部２８は、前述のように、一本のワイヤーの両端が鍔部２６に接続されるとともに、そのワイヤーにおける両側部分が、一対の可動アーム２４と一体に構成された支持部（図示せず）に巻きつかれてなる他、そのワイヤーの中央部にて、連結部７側に突設されてバッテリ用ケーブル３０を保持する第３保持部材３１が形成されている。
【００５０】
第３保持部材３１は、固定アーム２２の上記支持部側に付勢する形状であり、上記支持部上に配置されたバッテリ用ケーブル３０のチューブ部３０ａを、上記支持部とともに挟持するように構成されている。
【００５１】
以上のような本実施形態の医療用ＬＥＤライト１によれば、第１保持部材１６に加えて、第２保持部材２９および第３保持部材３１によって、バッテリ用ケーブル３０を強固に保持することが可能となるため、バッテリ用ケーブル３０が使用者の視界や作業を妨げるのを好適に防止することができる。
【００５２】
さらに、本実施形態の医療用ＬＥＤライト１によれば、第２保持部材２９が固定アーム２２と一体に形成され、且つ、第３保持部材３１がバネ部２８と一体に形成されているため、部品点数を少なくすることで、製造上のメリットやコストメリットを享受できる。
【００５３】
［第４実施形態］
次に、図４（ａ）は、第４実施形態の医療用ＬＥＤライト１における光源装置３の構成を示す断面図である。なお、第２実施形態の医療用ＬＥＤライト１は、第１〜第３実施形態の医療用ＬＥＤライト１と比較して、光源装置３の構成だけが異なっているため、この相違点を中心に説明する。
【００５４】
図４（ａ）に示すように、光源装置３は、照射光としてのＬＥＤ光を生成する光源部４２と、光源部にて生成されたＬＥＤ光を予め設定された焦点距離にて集光させる光学的作用を有するレンズ部４４と、光源部４２に対するレンズ部４４の位置を移動するレンズ移動機構４６とを備える。
【００５５】
レンズ移動機構４６は、光源部４２から照射されるＬＥＤ光の光軸に沿って、光源部４２に対するレンズ部４４の位置を移動させる機構であり、使用者によって光源装置３本体の外周面を時計回り又は反時計回りに回転させるための操作が加わると、その回転量に応じた距離だけ移動するように推進力をレンズ部４４に伝達する。
【００５６】
レンズ部４４は、ＬＥＤ光の入射側が平面、ＬＥＤ光の出射側が凸面であるレンズからなり、光源部４２から拡散するように入射されたＬＥＤ光を屈折させて外部に通過させ、且つ、通過して照射されるＬＥＤ光がその照射対象である内腔への到達前に集光する屈折率を有するように形成されている。具体的には、レンズ部４４の焦点距離を、様々な使用者の腕の長さに基づく距離の範囲内において調整できるように、上記屈折率およびレンズ部４４の移動範囲が予め設定されている。
【００５７】
例えば、本実施形態では、ＬＥＤ光が集光するポイント（光のクロスポイント）が、患者の耳腔の奥側である場合には、光のクロスポイントの近傍（図４（ｂ）では上下方向）に非照射領域が形成されて、その非照射領域に対応する耳腔の内壁への視認性が低下するのに対し、レンズ移動機構４６を用いて焦点距離を調整することで、光のクロスポイントを耳腔の手前にすることが可能となる。
【００５８】
したがって、本実施形態の医療用ＬＥＤライト１によれば、非照射領域が耳腔に生じることを防止でき、耳腔の内壁への視認性を向上させることができる。
［他の実施形態］
以上、本考案の実施形態について説明したが、本考案は上記実施形態に限定されるものではなく、本考案の要旨を逸脱しない範囲において、様々な態様にて実施することが可能である。
【００５９】
例えば、上記実施形態では、本考案の眼鏡着脱式ライトを医療用ＬＥＤライト１に適用した例を説明したが、これに限らず、例えば精密機械を扱う場合等、様々な局面に使用可能なライトに適用することができる。
【符号の説明】
【００６０】
１…医療用ＬＥＤライト、３…光源装置、５…クリップ部、７…連結部、１２…上下回動機構、１２ａ…光源側固定棒、１２ｂ…光源側回動部、１３ａ…クリップ側固定棒、１３ｂ…クリップ側回動部、１４…左右回動機構、１５…連接棒、１６…第１保持部材、２０…バッテリ、２２…固定アーム、２４…可動アーム、２６…鍔部、２８…バネ部、２９…第２保持部材、３０…バッテリ用ケーブル、３１…第３保持部材、４２…光源部、４４…レンズ部、４６…レンズ移動機構。
【図１】
0003171527.tif 000003
【図２】
0003171527.tif 000004
【図３】
0003171527.tif 000005
【図４】
0003171527.tif 000006